(57)【特許請求の範囲】
【請求項１】
記録領域が設けられた光ディスクを用いる光ディスク記録方法であって、
前記記録領域へ擬似データを記録し、第１の擬似データ記録領域を生成するステップと、
前記第１の擬似データ記録領域に続き、前記記録領域へ同期引き込みパターンを記録し、同期引き込みパターン記録領域を生成するステップと、
前記同期引き込みパターン記録領域に続き、前記記録領域へデータを記録し、データ記録領域を生成するステップと、
前記データ記録領域に続き、前記記録領域へ擬似データを記録し、第２の擬似データ記録領域を生成するステップとを備え、
前記第１の擬似データ記録領域を生成するステップにおいて、前記記録領域への記録毎に前記第１の擬似データ記録領域の始端部の位置を変化させるとともに、
前記第２の擬似データ記録領域を生成するステップにおいて、前記記録領域への記録毎に前記第２の擬似データ記録領域の終端部の位置を変化させることを特徴とする光ディスク装置の記録方法。
【請求項２】
記録領域が設けられた光ディスクを用いる光ディスク記録装置であって、
前記記録領域へ擬似データを記録し、第１の擬似データ記録領域を生成する手段と、
前記第１の擬似データ記録領域に続き、前記記録領域へ同期引き込みパターンを記録し、同期引き込みパターン記録領域を生成する手段と、
前記同期引き込みパターン記録領域に続き、前記記録領域へデータを記録し、データ記録領域を生成する手段と、
前記データ記録領域に続き、前記記録領域へ擬似データを記録し、第２の擬似データ記録領域を生成する手段とを備え、
前記第１の擬似データ記録領域を生成する手段は、前記記録領域への記録毎に前記第１の擬似データ記録領域の始端部を変化させるとともに、
前記第２の擬似データ記録領域を生成する手段は、前記記録領域への記録毎に前記第２の擬似データ記録領域の終端部を変化させるように構成されていることを特徴とする光ディスク記録装置。
【請求項３】
記録領域が設けられた光ディスクであって、
前記記録領域は、
擬似データが記録される第１の擬似データ記録領域と、
前記第１の擬似データ記録領域に続き、同期引き込みパターンが記録される同期引き込みパターン記録領域と、
前記同期引き込みパターン記録領域に続き、データが記録されるデータ記録領域と、
前記データ記録領域に続き、擬似データが記録される第２の擬似データ記録領域とを備え、
前記第１の擬似データ記録領域は、前記記録領域への記録毎に、前記第１の擬似データ記録領域の始端部の位置が変化するとともに、
前記第２の擬似データ記録領域は、前記記録領域への記録毎に、前記第２の擬似データ記録領域の終端部の位置が変化することを特徴とする光ディスク。
【請求項４】
請求項３記載の光ディスクを再生する光ディスク装置。
【発明の詳細な説明】
【０００１】
【発明の属する技術分野】
本発明は、光学的に記録再生を行う光ディスク装置の記録方法に関するものである。
【０００２】
【従来の技術】
近年、光ディスク装置は大容量のデータを記録再生する手段として盛んに開発が行われている。
【０００３】
以下図面を参照しながら、上記した従来の光ディスク装置の記録再生方法の一例について説明する。
【０００４】
図３は従来の光ディスク装置の記録再生系のブロック図である。図３において３９は光ディスクである。３１０はレーザ駆動回路である。３２は光学ヘッドである。３４は再生回路である。３６はＰＬＬ（Ｐｈａｓｅ  Ｌｏｃｋｅｄ  Ｌｏｏｐ）回路である。
【０００５】
記録時には記録データ信号３１がレーザ駆動回路３１０に入力され、出力信号３１１が光学ヘッド３２に入力される。図４に１つのセクタに記録するときの記録データのフォーマットを示す。記録データを大きく分けると、同期引き込みパターン４１とデータ部４３になる。同期引き込みパターン４１はＰＬＬ回路３６で同期引き込みを行う際に必要な単一周期のパターンである。
【０００６】
再生時には光学ヘッド３２の出力信号３３が再生回路３４に入力され、信号３５が出力される。信号３５はＰＬＬ回路３６に入力され、同期引き込みパターン４１が検出されて、データ部４３が再生データ信号３８として出力される。
【０００７】
【発明が解決しようとする課題】
相変化光ディスクに記録する場合、記録領域では、結晶状態からアモルファス状態へ相変化させるために必要な記録パワーと、アモルファス状態から結晶状態へ相変化させるために必要な消去パワーの２値（データの１、０情報に対応する）でレーザを変調させて記録を行い、記録領域以外は再生パワーでレーザを照射する。
【０００８】
通常記録パワーおよび消去パワーは再生パワーに比べて非常に大きく、一般に記録パワーは１０ｍＷから２０ｍＷ、消去パワーは記録パワーの半分程度、再生パワーは１ｍＷから２ｍＷ程度である。
【０００９】
従って、従来例のような構成では、１００万回もしくは１０００万回以上繰り返し記録を行ったとき光ディスク３９において最も急激に熱条件の変わる同期引き込みパターン４１の始端、データ部４３の終端から記録膜構成物質の移動による劣化が始まり、移動した部分は記録膜の膜厚が変わってデータの記録・再生ができないという課題があった。
【００１０】
本発明は、従来の繰り返し記録におけるこのような課題を考慮し、繰り返し記録を行っても必要なデータが壊れないような光ディスク装置の記録方法、光駆動方法及び光ディスク装置を提供することを目的とする。
【００１１】
【課題を解決するための手段】
本発明はデータを記録する記録領域を有する光ディスクに記録再生を行う光ディスク装置の記録方法において、必要なデータの始端及び／又は終端部に、疑似データを付加して記録する光ディスク装置の記録方法である。
【００１２】
また本発明は、データを記録する記録領域を有する光ディスクに記録再生を行う光ディスク装置の光駆動方法において、必要なデータの始端及び／又は終端部に付加する疑似データの記録中に、一時的にレーザ光の照射パワーを消去パワーよりも低くする光ディスク装置の光駆動方法である。
【００１３】
また本発明は、データを記録する記録領域を有する光ディスクに記録再生を行う光ディスク装置において、必要なデータの始端及び／又は終端部に付加する疑似データの記録中に、一時的にレーザ光の照射パワーを消去パワーよりも低くする照射パワー変更手段を備えた光ディスク装置である。
【００１４】
【作用】
本発明は、データを繰り返し記録する場合、記録領域の始端・終端から記録膜構成物質の移動による劣化が始まっても、劣化する部分には、疑似データを記録しているので、必要なデータは壊れない。
【００１５】
また本発明は、疑似データの記録中に一時的にレーザ光の照射パワーを消去パワーよりも小さいパワーにすることで、熱条件の大きく変わる領域を作り、その領域をもって記録領域の始端・終端から内側へ進む記録膜構成物質の移動による劣化を低減する。この様子を図８に示す。
【００１６】
図８は光ディスクの１つのセクタを示す。図８において、領域８１１、８１２は疑似データの記録中に、レーザ光の照射パワーを消去パワーよりも小さいパワーにした領域であり、記録を行うごとに異なる位置にできる。再生専用領域８１、８３を含め、斜線の部分は消去パワーよりも小さいパワーでレーザを照射する領域である。
【００１７】
記録領域８２の外側の再生専用領域８１、８３は記録時にも再生パワーで照射されるので、記録膜構成物質は融解することがなく、記録領域８２で繰り返し記録を行ったとき記録領域８２の始端・終端の最端部の記録膜構成物質は、記録領域８２の内側に移動しやすい（８４、８１０）。
【００１８】
しかしながら領域８１１、８１２にある記録膜構成物質は消去パワー以下のパワーで照射されているので移動しにくく、領域８１１、８１２が記録領域８２の始端・終端部に近いときには、これらの領域が壁となって記録領域８２の始端・終端部分の内側への移動を低減する。
【００１９】
なお、領域８１１、８１２の場所は記録ごとに異なるので、領域８１１、８１２の両端からの記録膜構成物質の移動による劣化はほとんどない。
【００２０】
【実施例】
以下本発明の第１の実施例について図面を参照しながら説明する。
【００２１】
図１は本発明の光ディスク装置の記録再生系のブロック図である。図１において１９は光ディスクである。１１０はレーザ駆動回路である。１２は光学ヘッドである。１４は再生回路である。１６はＰＬＬ回路である。
【００２２】
記録時には記録データ信号１１がレーザ駆動回路１１０に入力され、出力信号１１１が光学ヘッド１２に入力される。図２に１つのセクタに記録するときの記録データのフォーマットを示す。記録データを大きく分けると、疑似データ２１、２５と同期引き込みパターン２２とデータ部２４になる。
【００２３】
疑似データ２１、２５は情報として再生する必要のないデータである。疑似データの量は、使用する光ディスクの仕様条件での繰り返し記録による始端・終端の劣化量（例えば、ランダムデータの１００万回記録により、記録領域の始端から内側に向かって２０μｍ、記録領域の終端から内側に向かって３０μｍにかけて再生振幅が規定の値よりも小さくなった等のデータ）を考慮し、劣化量よりも多くする。
【００２４】
同期引き込みパターン２２はＰＬＬ回路１６により同期引き込みを行う際に必要な単一周期のパターンである。
【００２５】
再生時には光学ヘッド１２の出力信号１３が再生回路１４に入力され、信号１５が出力される。信号１５はＰＬＬ回路１６に入力され、同期引き込みパターン２２が検出され、データ部２４が再生データ信号１８として出力される。
【００２６】
以上のように、本実施例の記録方法によれば繰り返し記録を行っても、仕様条件下においては、記録領域の始端の劣化が同期引き込みパターン２２に届かず、かつ記録領域の終端の劣化がデータ部２４に届かないので、データを正しく記録再生することができる。
【００２７】
なお、疑似データ２１を同期引き込みパターンとすれば、同期引き込みの時間マージンが増大するのでより効果がある。
【００２８】
なお、本実施例では記録データの始端・終端に疑似データがあるが、光ディスクの構造、記録膜構成物質や記録条件によっては始端にだけ、もしくは終端にだけあっても良い。
【００２９】
なお、図１０のように、記録データ信号１１を記録ごとにセクタ単位でランダムに遅延させる記録開始時刻制御回路１０１を備えれば、記録時に最も熱条件の変わる疑似データ２１の始端部および疑似データ２５の終端部の位置が記録ごとにランダムに変わるので記録膜の劣化をより低減することができる。
【００３０】
以下本発明の第２の実施例について図面を参照しながら説明する。
【００３１】
図５は本発明の光ディスク装置の記録再生系のブロック図である。図５において５１９は光ディスクである。５１は記録ゲート発生回路である。５２は断熱パルス発生回路である。５３は記録信号発生回路である。５７はアンド回路である。５９はレーザ駆動回路である。５１１は光学ヘッドである。５１３は再生回路である。５１６はＰＬＬ回路である。
【００３２】
図７に本実施例の光ディスクの記録再生系の各信号を説明するためのタイミングチャートを示す。
【００３３】
記録時には記録ゲート信号５４が記録ゲート発生回路５１から出力される。記録ゲート信号５４の立ち上がりが記録開始時刻を決定し、立ち下がりが記録終了時刻を決定する。
【００３４】
記録ゲート信号５４は断熱パルス発生回路５２の出力である信号５５とともにアンド回路５７に入力され信号５８が出力される。断熱パルス発生回路５２は、後述するように、記録領域の始端・終端部の疑似データの記録中に、レーザ光の照射パワーを再生パワー７５とする時刻および時間を決めるためのパルスを発生する回路であり、パルスの開始時刻は、記録ごとに疑似データの区間内でランダムに変わる。
【００３５】
信号５８は記録信号発生回路５３の出力である信号５６とともにレーザ駆動回路５９に入力される。
【００３６】
図６にレーザ駆動回路５９および光学ヘッド５１１のブロック図を示す。図６において、光学ヘッド５１１に設けられた６４はレーザ、６５は受光素子である。又、レーザ駆動回路５９の、６１は再生パワー７５でレーザ６４を発光させるための電流源、６２は消去パワー７４でレーザ６４を発光させるための電流源である。このときレーザ６４は電流源６１、６２を流れる２つの電流の合成により消去パワー７４で発光する。６３はレーザ６４を記録パワー７３で発光させるための電流源である。このときレーザ６４は電流源６１、６２、６３を流れる３つの電流の合成により記録パワー７３で発光する。
【００３７】
又、６７は電流源６２を制御するスイッチであり、このスイッチ６７は記録ゲート信号５８が立ち上がるとオンされる。６８は電流源６３を制御するスイッチであり、このスイッチ６８は記録信号６９が立ち上がるとオンされる。
【００３８】
レーザ駆動回路５９の出力信号５１０は光学ヘッド５１１に入力される。
【００３９】
図７の７１に１つのセクタに記録するときの記録データのフォーマットを示す。記録データを大きく分けると、疑似データ７６、７１０と同期引き込みパターン７７とデータ部７９になる。
【００４０】
疑似データ７６、７１０は情報として再生する必要のないデータである。疑似データの量は、使用する光ディスクの仕様条件での繰り返し記録による始端・終端の劣化量（例えば、ランダムデータの１００万回記録により、記録領域の始端から内側に向かって２０μｍ、記録領域の終端から内側に向かって３０μｍにかけて再生振幅が規定の値よりも小さくなった等のデータ）を考慮し、劣化量よりも多くする。
【００４１】
同期引き込みパターン７７はＰＬＬ回路５１６により同期引き込みを行う際に必要な単一周期のパターンである。
【００４２】
光変調波形７２は記録時に光スポットがトラックを通過するときの領域ごとのレーザ光の照射パワーを示したものである。断熱パルス発生回路５２の出力である信号５５のＬの区間に対応する区間はレーザ６４は再生パワー７５で発光する。
【００４３】
再生時には光学ヘッド５１１の出力信号５１２が再生回路５１３に入力され、信号５１４が出力される。信号５１４はＰＬＬ回路５１６に入力され、同期引き込みパターン７７が検出され、データ部７９が再生データ信号５１８として出力される。
【００４４】
以上のように、本実施例の記録方法によれば繰り返し記録を行っても、記録領域の始端の劣化が同期引き込みパターン７７に届かず、かつ記録領域の終端の劣化がデータ部７９に届かないので、データを正しく記録・再生することができる。
【００４５】
さらに本実施例の記録方法によれば、疑似データの記録中に、一時的にレーザ光の照射パワーを再生パワーにすることで熱条件の大きく変わる領域を作り、その領域をもって記録領域の始端・終端から内側へ進む記録膜構成物質の移動を低減することにより、第１の実施例の記録方法に比べて、疑似データを少なく、データ部を多くすることができる。
【００４６】
なお本実施例では、疑似データの記録中に一時的にレーザ光の照射パワーを再生パワーにしているが、再生パワーに限らず記録膜構成物質の移動を低減するような小さいパワーであれば任意のパワーでも同じ効果が得られる。
【００４７】
なお本実施例では、記録領域の始端・終端でそれぞれ１ヶ所づつ、一時的にレーザ光の照射パワーを再生パワーにしているが、光ディスクの構造、記録膜構成物質や記録条件によっては始端だけ、もしくは終端だけでも良く、またサーボがはずれない限りにおいて複数個あっても良い。
【００４８】
なお、本実施例では記録領域の始端・終端における、レーザ光の照射パワーを再生パワーにする時間はいつも同じであるが、この時間を記録ごとにランダムにしても同様の効果が得られる。
【００４９】
なお、疑似データ７６を同期引き込みパターンとすれば、同期引き込みの時間マージンが増大するのでより効果がある。
【００５０】
なお、図１１のように、信号５６と信号５８を記録ごとにセクタ単位で同じ時間だけランダムに遅延させる記録開始時刻制御回路１０１を備えれば、記録時に最も熱条件の変わる疑似データ７６の始端部および疑似データ７１０の終端部の位置が記録ごとにランダムに変わるので記録膜の劣化をより低減することができる。
【００５１】
以下本発明の第３の実施例について図面を参照しながら説明する。
【００５２】
第３の実施例が第２の実施例と異なるのは、第２の実施例における断熱パルス発生回路５２の出力する信号５５を図９の信号９０のようにするところである。信号９０は、疑似データの記録中に一時的にレーザ光の照射パワーを再生パワーにするための断熱区間が、複数個あり、それらが近接するような信号である。
【００５３】
本実施例のように、疑似データ７６の領域では左の断熱区間を長く、近接する右の断熱区間を短くし、疑似データ７１０の領域では右の断熱区間を長く、近接する左の断熱区間を短くすれば、領域９６の左側の記録膜構成物質は第２の実施例と同様に右側に移動しにくいが、領域９６の右側の記録膜構成物質は、領域９６の右端が多少融解しているので右側はもちろんのこと、左側にも移動できる。
従って、第２の実施例と同様に疑似データ７６の左端から右側に向かって始まる記録膜構成物質の移動を低減することができるのに加え、領域９６の右端から右側に向かう移動を、さらに記録回数が増えた場合でも抑えることができる。
【００５４】
同様に領域９７によって、疑似データ７１０の右端から左側に向かって始まる記録膜構成物質の移動をより低減することができ、領域９７の左端から左側に向かう移動も抑えることができる。
【００５５】
以上のように本実施例は繰り返し記録回数がさらに増えたときには第２の実施例よりも有効である。
【００５６】
【発明の効果】
以上のように本発明は、記録データの始端・終端部に疑似データを記録することにより、繰り返し記録を行って記録データの始端・終端から劣化が始まっても必要なデータは壊れない。
【００５７】
また本発明は、疑似データの記録中に一時的にレーザ光の照射パワーを消去パワーよりも小さいパワーにすることで熱条件の大きく変わる領域を作り、その領域をもって記録データの始端・終端から始まる劣化を低減する。
【図面の簡単な説明】
【図１】本発明の第１の実施例における光ディスクの記録再生系のブロック図
【図２】同実施例における記録フォーマットを示す図
【図３】従来の光ディスクの記録再生系のブロック図
【図４】従来の光ディスク装置における記録フォーマットを示す図
【図５】本発明の第２の実施例における光ディスクの記録再生系のブロック図
【図６】同実施例におけるレーザ駆動回路と光学ヘッドのブロック図
【図７】同実施例の記録再生系の各信号のタイミングチャート
【図８】同実施例における記録フォーマットを示す図
【図９】本発明の第３の実施例における記録再生系のタイミングチャート
【図１０】本発明の第１の実施例における光ディスクの記録再生系のブロック図
【図１１】本発明の第２の実施例における光ディスクの記録再生系のブロック図
【符号の説明】
１２  光学ヘッド
１４  再生回路
１６  ＰＬＬ回路
２１、２５  疑似データ
２２  同期引き込みパターン
２４  データ部
５１  記録ゲート発生回路
５２  断熱パルス発生回路
５９  レーザ駆動回路
１０１  記録開始時刻制御回路
【図１】
0003666562.tif 000002
【図２】
0003666562.tif 000003
【図３】
0003666562.tif 000004
【図４】
0003666562.tif 000005
【図５】
0003666562.tif 000006
【図６】
0003666562.tif 000007
【図７】
0003666562.tif 000008
【図８】
0003666562.tif 000009
【図９】
0003666562.tif 000010
【図１０】
0003666562.tif 000011
【図１１】
0003666562.tif 000012